(57)【特許請求の範囲】
【請求項１】
前面部に周方向に沿う挿入溝部を設けたケースと、
周壁部の外周面に挿入突起部を設けると共に、この挿入突起部の周部をシール装着部にしたカバー部材と、
内面に押圧部を設けたサイドカバーと、
前記シール装着部に装着されるシール部材と、
前記ケースに前記サイドカバーを係脱可能に係止する係止手段とを備え、
前記挿入突起部を前記ケースの挿入溝部に挿入し、前記カバー部材の周部に前記サイドカバーを被せて、前記サイドカバーの前記押圧部で前記カバー部材を押圧し、前記シール部材を圧縮状態にして、前記係止手段で前記ケースに前記サイドカバーを係止したことを特徴とする制御機器の防水構造。
【請求項２】
前記係止手段を、前記ケースの周部に設けた複数の係止突起部と、前記サイドカバーの周壁部に設けられて前記係止突起部に係脱可能に係止する係止孔とで構成し、前記押圧部を、前記サイドカバーの内面に周方向に所定の間隔をおいて形成された複数のリブで構成し、前記押圧部で押圧される前記カバー部材の部位を、前記カバー部材の周壁部の外周面に形成された鍔部で構成した請求項１に記載の制御機器の防水構造。
【請求項３】
請求項１又は請求項２に記載の制御機器の防水構造を有することを特徴とする可動指針型タイマ。
【発明の詳細な説明】
【０００１】
【発明の属する技術分野】
本発明は、温度調節器、可動指針型タイマ等の制御機器における防水構造とこの防水構造を有する可動指針型タイマに関するものである。
【０００２】
【従来の技術】
従来の制御機器、例えば可動指針型タイマとしては、図１２に示すものがある。この可動指針型タイマは、ケース２００の前面に目盛板２０１と風防ガラス２０２Ａを有するフロントカバー２０２とを設け、目盛板２０１の中央に設けた孔部（図示せず）からクラッチ２２４の従動軸２０３を突出して、この従動軸２０３に可動指針２０４を取り付け、また、風防ガラス２０２Ａの中央に孔部（図示せず）を設けて、この孔部に摘み部材２０５を回転可能に取り付け、この摘み部材２０５に設定指針２０６を取り付け、ケース２００内に、商用電源に同期した一定速度で回転する同期モータ２２２と、この同期モータ２２２の出力軸に連係した減速機２２３と、この減速機２２３の出力側に連係したクラッチ２２４とを設けたものである。
【０００３】
そして、タイマ動作の開始と共に商用電源の周波数に同期した一定速度で同期モータ２２２が回転を始める。これに伴って、同期モータ２２２は、その回転数を減速機２２３で減速されて駆動軸２２５を回転させる。ゼロ点検出用マイクロスイッチ２２６の接点は、接点押圧レバー２２７によって押圧されていないから、クラッチコイル２２８は通電されていない。
【０００４】
したがって、従動軸２０３と駆動軸２２５とはクラッチ２２４を介して接続されているので、従動軸２０３は、駆動軸２２５の回転に連動して回転させられる。これによって、可動指針２０４が目盛板２０１上を設定指針２０６の設定時限位置からゼロ点位置方向に向けて移動する。
【０００５】
可動指針２０４が設定時限の経過と同時にゼロ点位置に到達すると、接点押圧レバー２２７がゼロ点検出用マイクロスイッチ２２６の接点を押圧し、クラッチコイル２２８が通電させられる。これによって、クラッチコイル２２８は、クラッチ２２４の噛合いを離反させるべく駆動軸２２５を引き下げ、従動軸２０３と駆動軸２２５との結合を解除させる。その結果、従動軸２０３は復帰スプリング２２９の復元力で回転して、可動指針２０４は設定指針２０６の目盛位置まで復帰移動させられる。
【０００６】
可動指針２０４が設定指針２０６の目盛位置まで復帰移動させられると、接点押圧レバー２２７がゼロ点検出用マイクロスイッチ２２６の接点から離れる。そのために、クラッチコイル２２８には通電されなくなって再びクラッチ２２４が入り、従動軸２０３と駆動軸２２５とはクラッチ２２４を介して接続される。
【０００７】
【発明が解決しようとする課題】
しかしながら、上記した従来の可動指針型タイマにあっては、ケース２００の前面に目盛板２０１と風防ガラス２０２Ａを有するフロントカバー２０２とを設け、また、風防ガラス２０２Ａの中央に孔部を設けて、この孔部に摘み部材２０５を回転可能に取り付け、この摘み部材２０５に設定指針２０６を取り付けてあり、防水構造になっていなかった。
【０００８】
また、可動指針型タイマは、食品の小型汎用機に組み込まれて食品業界等で多く使用されており、小型汎用機を洗浄等する場合に、可動指針型タイマに洗浄水等が掛かり、可動指針型タイマが防水構造になっていないために、可動指針型タイマ内部に水が侵入して、作動不能になるという問題点があった。
【０００９】
本発明は、上記の問題点に着目して成されたものであって、その第１の目的とするところは、洗浄水等が掛かっても、内部に水が侵入することがなく、作動不能になることを防止する制御機器の防水構造を提供することにある。
【００１０】
また、本発明の第２の目的とするところは、洗浄水等が掛かっても、内部に水が侵入することがなく、作動不能になることのない可動指針型タイマを提供することにある。
【００１１】
【課題を解決するための手段】
上記の第１の目的を達成するために、請求項１の発明に係る制御機器の防水構造は、前面部に周方向に沿う挿入溝部を設けたケースと、周壁部の外周面に挿入突起部を設けると共に、この挿入突起部の周部をシール装着部にしたカバー部材と、内面に押圧部を設けたサイドカバーと、前記シール装着部に装着されるシール部材と、前記ケースに前記サイドカバーを係脱可能に係止する係止手段とを備え、前記挿入突起部を前記ケースの挿入溝部に挿入し、前記カバー部材の周部に前記サイドカバーを被せて、前記サイドカバーの前記押圧部で前記カバー部材を押圧し、前記シール部材を圧縮状態にして、前記係止手段で前記ケースに前記サイドカバーを係止したことを特徴とする。
【００１２】
かかる構成により、サイドカバーの押圧部でカバー部材を押圧するために、カバー部材にはその周方向に均等して押圧力が加わり、シール部材の周方向に均等して圧縮力が加わる。したがって、シール部材は全体が均等に圧縮されて、シール機能を発揮することができる。しかも、前記挿入突起部を前記ケースの挿入溝部に挿入してあるために、ラビリンスを形成して、シール性に寄与している。
【００１３】
このように、本発明に係る制御機器は防水構造を有しているために、この制御機器が食品の小型汎用機に組み込まれて使用される場合、小型汎用機を洗浄等により、制御機器に洗浄水等が掛かっても、制御機器内部に水が侵入することがなく、作動不能になることが防止される。
【００１４】
また、上記の第１の目的を達成するために、請求項２の発明に係る制御機器の防水構造は、請求項１に記載の制御機器の防水構造において、前記係止手段を、前記ケースの周部に設けた複数の係止突起部と、前記サイドカバーの周壁部に設けられて前記係止突起部に係脱可能に係止する係止孔とで構成し、前記押圧部を、前記サイドカバーの内面に周方向に所定の間隔をおいて形成された複数のリブで構成し、前記押圧部で押圧される前記カバー部材の部位を、前記カバー部材の周壁部の外周面に形成された鍔部で構成した。
【００１５】
かかる構成により、サイドカバーのリブは、周方向に所定の間隔をおいて複数設けてあり、これらのリブで鍔部を押圧するために、鍔部にはその周方向に均等して押圧力が加わり、シール部材の周方向に均等して圧縮力が加わる。したがって、シール部材は全体が均等に圧縮されて、シール機能を発揮することができる。しかも、前記挿入突起部を前記ケースの挿入溝部に挿入してあるために、ラビリンスを形成して、シール性に寄与している。
【００１６】
このように、本発明に係る制御機器は防水構造を有しているために、この制御機器が食品の小型汎用機に組み込まれて使用される場合、小型汎用機を洗浄等により、制御機器に洗浄水等が掛かっても、制御機器内部に水が侵入することがなく、作動不能になることが防止される。
【００２１】
また、上記の第２の目的を達成するために、請求項３の発明に係る可動指針型タイマは、請求項１又は請求項２に記載の制御機器の防水構造を有する。
【００２２】
かかる構成により、本発明に係る可動指針型タイマには防水構造を有しているために、この可動指針型タイマが食品の小型汎用機に組み込まれて使用される場合、小型汎用機を洗浄等により、可動指針型タイマに洗浄水が掛かっても、可動指針型タイマ内部に水が侵入することがなく、作動不能になることが防止される。
【００２３】
【発明の実施の形態】
以下、本発明の実施の形態例を図面を参照して説明する。
本発明に係る可動指針型タイマＴはモータタイマであり、この可動指針型タイマＴは、図３に示すようにケース１を備えており、このケース１は、図４及び図５に示すように略円筒形状のケース本体１Ａを有しており、このケース本体１Ａの前面に四角形状の窓枠部２が形成してあり、また、ケース本体１Ａの後部には端子台形成部１Ｂが形成してある。
【００２４】
窓枠部２の前面部には、正面円環形状の係合用溝部４と、正面四角枠形状の挿入溝部５と、パッキン装着部６とが内側から外側に向かって形成してあり、窓枠部２の外周面には複数の係止突起部（一方の係止部）７が設けてある。また、窓枠部２の４つの角部には、図４の（２）、図５の（３）に示すようにボルト挿通孔８が形成してある。
【００２５】
そして、メインフレーム１０は、図６に示すように四角形状のプレート状のフレーム本体１０Ａを有しており、このフレーム本体１０Ａの４つの角部には、図６の（１）、（４）に示すようにボルト孔１２が形成してあり、また、フレーム本体１０Ａには、その中央部に孔部１３が、下部に窓部１４、１４Ａ、１４Ｂがそれぞれ設けてあり、フレーム本体１０Ａの背面部には４か所に基板取付用脚部１５が設けてある。また、フレーム本体１０Ａの背面部には、孔部１３を中心とした円環状の係合突起部１６と、一対の取付用ボス部１７とが形成してある。
【００２６】
そして、この係合突起部１６を窓枠部２の係合用溝部４に係合して、ケース１の前面にメインフレーム１０が設けてある。この場合、ボルト孔１２にボルト挿通孔８が一致している。そして、ボルト孔１２には、図２に示すように六角ボルトよりなる取付ボルト１８が挿入係止してあり、この取付ボルト１８はボルト挿通孔８を貫通して裏方に突出している。そして、メインフレーム１０の前面部には目盛板１９が設けてある。この目盛板１９の下部には表示用窓２０Ａ、２０Ｂ、２０Ｃが設けてある。
【００２７】
そして、メインフレーム１０には、取付用ボス部１７を利用して，減速ギャ列２１、クラッチＫ、パルスモータ２２、制御回路（モーター駆動回路等）２３及び時間仕様切替機構部２４の組立体が搭載してある。
【００２８】
そして、クラッチＫの従動側に設けられた支軸部２６は、メインフレーム１０の中央部の孔部１３及び目盛板１９の中央の孔部２０Ｄを貫通して前方に突出しており、この支軸部２６には可動指針２７が取り付けてある。この可動指針２７には、図７に示すように引っ掛け用突起２７ａが形成してある。
【００２９】
ケース１の窓枠部２の前面部にはカバー部材であるフロントカバー２８が、サイドカバー４５により取り付けてある。すなわち、このフロントカバー２８は、図８の（１）〜（４）に示すように四角形状のカバー本体２８Ａを有しており、このカバー本体２８Ａの周部には周壁部２９が形成してあり、この周壁部２９の外周面には鍔部３０が形成してあって、この鍔部３０と、周壁部２９の外周面の鍔部３０より先側部分とでシール装着部３２が構成してある。また、周壁部２９の内周面には周方向に溝３３が形成してあって、先側部分が薄くしてあり、この部分が挿入突起部３４になっている。
【００３０】
また、カバー本体２８Ａの中央部にはボス部３６が設けてあり、このボス部３６の外周部には段部よりなるパッキン装着部３７が形成してある。また、カバー本体２８Ａの中央部には、ボス部３６より外側に位置させて環状の座金受け部４３が形成してある。また、カバー本体２８Ａの内面には突起部４４が形成してある。
【００３１】
サイドカバー４５は、図９の（１）〜（４）に示すように中央に開口部４７を有する四角枠状のカバー本体４５Ａを有しており、このカバー本体４５Ａの周部には周壁部４６が形成してあり、周壁部４６には周方向に所定の間隔をおいて複数の係止孔（他方の係止部）４８が形成してある。これらの係止孔４８はケース１の係止突起部７とで係止手段を構成している。また、周壁部４６の開口部４７側の部位は湾曲しており、この湾曲部の内面には周方向に所定の間隔をおいて押圧部である複数のリブ４９が形成してあり、これらのリブ４９に端部は押え部５０になっている。
【００３２】
そして、被操作部材としての設定指針５１は、図１０の（１）〜（４）に示すようにその基部にボス部５２を有しており、このボス部５２には取付用孔部５３が形成してあり、また、指針部５４の基部には干渉突起部５５が形成してある。
【００３３】
また、摘み部材５６は、図１１の（１）〜（３）に示すようにその裏面５６ａの中央にねじ孔５７を有しており、また、裏面５６ａには、ねじ孔５７を中心にした円形状の摺接溝部５８が形成してある。
【００３４】
そして、フロントカバー２８の座金受け部４３に表面が波打つ座金６０を設け、フロントカバー２８のボス部３６のパッキン装着部３７にパッキン５９を装着した状態で、ボス部３６を摘み部材５６の摺接溝部５８に挿入し、また、設定指針５１のボス部５２を裏からボス部３６の円形孔３６Ａに挿入し、設定指針５１の取付用孔部５３に取付ボルト６１を挿入して、この取付ボルト６１を摘み部材５６のねじ孔５７に螺合して、取付ボルト６１の締め付けにより、フロントカバー２８に摘み部材５６及び設定指針５１が回転可能に取り付けてある。
【００３５】
この場合、摘み部材５６の裏面５６ａに座金６０が当接して設定指針５１のトルクが適正に調整されている。また、パッキン５９が軸方向に圧縮力を受けないために、パッキン５９が半径方向に広がらず、パッキン５９が適正な面圧で摺接溝部５８の外周面に摺接して、シール性を確保している。このために、可動指針型タイマＴに洗浄水等が掛かっても、可動指針型タイマＴ内部に水が侵入することがなく、作動不能になることが防止される。
【００３６】
そして、フロントカバー２８のシール装着部３２に四角枠状のシール部材１００を装着して、このフロントカバー２８の挿入突起部３４を、ケース１の窓枠部２の挿入溝部５に挿入し、フロントカバー２８の周部にサイドカバー４５を被せて、このサイドカバー４５をケース１側に押しつけて、リブ４９の押え部５０で鍔部３０を押し、シール部材１００を鍔部３０とパッキン装着部６とで圧縮し、この状態で、サイドカバー４５の係止孔４８を、窓枠部２の外周面の係止突起部７に係止して、ケース１の前面にフロントカバー２８が、サイドカバー４５により取り付けてある。
【００３７】
この場合、サイドカバー４５のリブ４９は、周方向に所定の間隔をおいて複数設けてあり、これらのリブ４９で鍔部３０を押圧するために、鍔部３０にはその周方向に均等して押圧力が加わり、シール部材１００の周方向に均等して圧縮力が加わる。したがって、シール部材１００は全体が均等に圧縮されて、シール機能を発揮することができる。しかも、挿入突起部３４をケース１の挿入溝部５に挿入してあるために、ラビリンスを形成して、シール性に寄与している。
【００３８】
このように、可動指針型タイマＴは防水構造を有しているために、この可動指針型タイマＴが食品の小型汎用機に組み込まれて使用される場合、小型汎用機を洗浄等により、可動指針型タイマＴに洗浄水等が掛かっても、可動指針型タイマＴに水が侵入することがなく、作動不能になることが防止される。
【００３９】
上記のように構成された可動指針型タイマＴは、図３に示すようにケース１の窓枠部２の裏面部において、取付部材６２との間に防水パッキン６３を介在した状態で取付用ボルト１８により取付部材６２に取り付けられる。
【００４０】
この場合には、ケース１の窓枠部２の裏面部より突出している取付ボルト１８を取付部材６２に設けた孔（図示せず）に挿入して、取付ボルト１８にナット（図示せず）を取り付け、このナットを締め付けることにより行われる。したがって、電源回路、モータ制御回路２３とパルスモータ２２とクラッチＫとの重量がすべてメインフレーム１０を介して取付部材６２に加わり支えられて、ケース１には前記重量が加わらないために、このケース１を、肉厚の薄い小型にすることができ、可動指針型タイマＴ自体を小型化、軽量化することができる。
【００４１】
なお、上記した実施の形態例では、制御機器を、可動指針型タイマＴとして説明したが、制御機器としては、可動指針型タイマＴに限らず、温度調節器等があり、本発明の防水構造は温度調節器等にも適用できるものである。
【００４２】
【発明の効果】
以上説明したように、請求項１の発明に係る制御機器の防水構造にあっては、サイドカバーの押圧部でカバー部材を押圧するために、カバー部材にはその周方向に均等して押圧力が加わり、シール部材の周方向に均等して圧縮力が加わる。したがって、シール部材は全体が均等に圧縮されて、シール機能を発揮することができる。しかも、前記挿入突起部を前記ケースの挿入溝部に挿入してあるために、ラビリンスを形成して、シール性に寄与している。
【００４３】
このように、本発明に係る制御機器は防水構造を有しているために、この制御機器が食品の小型汎用機に組み込まれて使用される場合、小型汎用機を洗浄等により、制御機器に洗浄水等が掛かっても、制御機器内部に水が侵入することがなく、作動不能になることが防止される。
【００４４】
また、請求項２の発明に係る制御機器の防水構造にあっては、サイドカバーのリブは、周方向に所定の間隔をおいて複数設けてあり、これらのリブで鍔部を押圧するために、鍔部にはその周方向に均等して押圧力が加わり、シール部材の周方向に均等して圧縮力が加わる。したがって、シール部材は全体が均等に圧縮されて、シール機能を発揮することができる。しかも、前記挿入突起部を前記ケースの挿入溝部に挿入してあるために、ラビリンスを形成して、シール性に寄与している。
【００４５】
このように、本発明に係る制御機器は防水構造を有しているために、この制御機器が食品の小型汎用機に組み込まれて使用される場合、小型汎用機を洗浄等により、制御機器に洗浄水が掛かっても、制御機器内部に水が侵入することがなく、作動不能になることが防止される。
【００４８】
また、請求項３の発明に係る可動指針型タイマにあっては、この可動指針型タイマには防水構造を有しているために、この可動指針型タイマが食品の小型汎用機に組み込まれて使用される場合、小型汎用機を洗浄等により、可動指針型タイマに洗浄水が掛かっても、可動指針型タイマ内部に水が侵入することがなく、作動不能になることが防止される。
【図面の簡単な説明】
【図１】本発明に係る制御機器としての可動指針型タイマの正面図である。
【図２】同可動指針型タイマの前部の側面図である。
【図３】同可動指針型タイマの縦断面図である。
【図４】（１）は同可動指針型タイマのケースの側面図である。
（２）は同ケースの正面図である。
【図５】（１）は同ケースの横断面図である。
（２）は同ケースの縦断面図である。
（３）は図４の（２）のイ−イ線に沿う断面図である。
【図６】（１）は同可動指針型タイマのメインフレームの正面図である。
（２）は同メインフレームの縦断面図である。
（３）は同メインフレームの裏面図である。
（４）は（１）のロ−ロ線に沿う断面図である。
【図７】（１）は可動指針の断面図である。
（２）は同可動指針の側面図である。
（３）は同可動指針の平面図である。
【図８】（１）はフロントカバーの正面図である。
（２）は同フロントカバーの側面図である。
（３）は（１）のニ−ニ線に沿う断面図である。
（４）は同フロントカバーの裏面図である。
【図９】（１）はサイドカバーの正面図である。
（２）は同サイドカバーの側面図である。
（３）は（１）のホ−ホ線に沿う断面図である。
（４）は同サイドカバーの裏面図である。
【図１０】（１）は設定指針の側面図である。
（２）は同設定指針の平面図である。
（３）は（２）のヘ−ヘ線に沿う断面図である。
（４）は同設定指針の裏面図である。
【図１１】（１）は摘み部材の裏面図である。
（２）は（１）のト−ト線に沿う断面図である。
（３）は同摘み部材の平面図である。
【図１２】従来の可動指針型タイマの構成説明図である。
【符号の説明】
１    ケース
２    窓枠部
５    挿入溝部
６    パッキン装着部
７    係止突起部（係止手段）
２８  フロントカバー（カバー部材）
３０  鍔部
３２  シール装着部
３４  挿入突起部
４５  サイドカバー
４８  係止孔（係止手段）
４９  リブ
５０  押え部
５１  設定指針
１００  シール部材
【図１】
0003721724.tif 000002
【図２】
0003721724.tif 000003
【図３】
0003721724.tif 000004
【図４】
0003721724.tif 000005
【図５】
0003721724.tif 000006
【図６】
0003721724.tif 000007
【図７】
0003721724.tif 000008
【図８】
0003721724.tif 000009
【図９】
0003721724.tif 000010
【図１０】
0003721724.tif 000011
【図１１】
0003721724.tif 000012
【図１２】
0003721724.tif 000013